(57)【要約】【目的】コーヒー豆が有している本来の旨味を十分に引き出したコーヒー飲料を抽出するのに適した飲料抽出装置を提供する。【構成】飲料抽出装置４０のフィルタブロック４２にエア供給、抽出管路５１を連通してミキシングボール６８に接続してある。エア供給、抽出管路５１はその途中にチューブポンプ５２および流量調整器５３が配設され、チューブポンプ５２が一方向に回転するとフィルタブロック４２にエアを供給して挽き豆と湯の混合体を攪拌し、他方向に回転すると負圧を発生させ、フィルタ４３を通過させてろ過した飲料をフィルタブロック４２を介してエア供給、抽出管路５１からミキシングボール６８に供給する。流量調整器５３を通流する流量が少なくなるように調整してあると、挽き豆と湯の混合体からコーヒー飲料を抽出する時間が長くなり、濃厚な味のコーヒー飲料を抽出する。【選択図】        図２
2006178572.tif 000002
【特許請求の範囲】
【請求項１】
上下両端面を開口した円筒形状の抽出容器の下端開口をフィルタを介してフィルタブロックに嵌合して閉塞し、前記抽出容器の上端開口から投入された粉末原料と湯の混合体に空気を供給し攪拌して抽出した飲料に前記フィルタを介してフィルタブロックから負圧を作用させ、前記フィルタを通過させてろ過した飲料をフィルタブロックから通流させる抽出管路を有した飲料抽出装置において、
前記抽出管路に、通流する飲料の流量を調整する流量調整手段を設けたことを特徴とする飲料抽出装置。
【請求項２】
前記流量調整手段は、前記フィルタブロックから飲料に作用させる負圧を調整することを特徴とする請求項１に記載の飲料抽出装置。
【請求項３】
上下両端面を開口した円筒形状の抽出容器の下端開口をフィルタを介してフィルタブロックに嵌合して閉塞し、前記抽出容器の上端開口から投入された粉末原料と湯の混合体に空気を供給し攪拌して抽出した飲料に前記フィルタを介してフィルタブロックから負圧を作用させ、前記フィルタを通過させてろ過した飲料をフィルタブロックから通流させる抽出管路を有した飲料抽出装置において、
前記抽出管路に接続したフィルタブロックと前記負圧を発生させる負圧発生手段との間に吸気管路を連通し、該吸気管路に負圧調整手段を設けたことを特徴とする飲料抽出装置。
【請求項４】
前記負圧調整手段は、オリフィスであることを特徴とする請求項３に記載の飲料抽出装置。
【発明の詳細な説明】
【技術分野】
【０００１】
本発明は、粉末原料が投入された抽出容器に湯を供給して、粉末原料と湯の混合体から飲料を抽出する飲料抽出装置に関するものである。
【背景技術】
【０００２】
例えば、コーヒー豆を挽いた粉末原料（以下、「挽き豆」という）と湯の混合体からコーヒー飲料を抽出して販売するカップ式飲料自動販売機や飲料ディスペンサには、その内部に飲料抽出装置が設けられている。この種の飲料抽出装置としては、抽出容器、フィルタ、フィルタブロックおよび弁機構を備えたものが一般的である。抽出容器は、いわゆるシリンダと称されるものであり、上下両端を開口した円筒形状を成し、内部にエア（空気）を供給するためのエア導入口が設けられている。フィルタは、抽出容器の下端開口を閉塞する態様で配置されるもので、例えば紙製のものが使用されている。フィルタブロックは、フィルタを介して抽出容器の下端開口に嵌合させて装着される有底円筒形状の容器であり、その内底部に送出通路を有している。
この飲料抽出装置でコーヒー飲料を抽出するには、まず、抽出容器の下端開口にフィルタを介してフィルタブロックを装着した後、弁機構を開放させた状態で抽出容器の上端開口から挽き豆を投入するとともに湯タンクに貯留してタンクヒータで加熱している湯を供給する。そして、この挽き豆と湯の混合体に下部エア導入口からエアを供給して攪拌する。この結果、挽き豆から湯に香味や旨味が抽出され、抽出容器の内部においてコーヒー飲料が生成される。しかる後、弁機構によって抽出容器の上端開口を閉鎖し、この状態で上部エア導入口から抽出容器の内部に貯留してある混合体の上部空間にエアを供給すると、抽出容器に供給されたエアの圧力により、フィルタを通過してろ過されたコーヒー飲料がフィルタブロックに送出され、送出通路を通じてカップへ注がれる。
【０００３】
エアの供給を停止してコーヒー飲料の送出を終了した後、抽出容器からフィルタブロックを離隔するとともに、フィルタの交換を行って原料滓を廃棄し、次の飲料抽出に備えるべく待機状態となる（例えば、特許文献１参照）。
【特許文献１】特開平１−１５８５９２号公報
【発明の開示】
【発明が解決しようとする課題】
【０００４】
このようにコーヒー飲料の抽出は、抽出容器に投入した挽き豆と湯の混合体に下部エア導入口からエアを供給して攪拌を行い、挽き豆から湯に香味や旨味を抽出してコーヒー飲料を生成した後、弁機構で抽出容器の上端開口を閉鎖し、上部エア導入口から抽出容器に貯めてある混合体の上部空間に供給したエアの圧力によりフィルタを通過させてろ過したコーヒー飲料をフィルタブロックから送出通路を通じてカップへ注いでコーヒー飲料の抽出を完了する。この種の飲料抽出装置は、本来、カップ式飲料自動販売機や飲料ディスペンサにおいても喫茶店で提供される品質の高い飲料と同じものを供給するべく開発・具現化されたものである。例えば、昨今においては、香味や旨味を確保する目的で、筐体内にコーヒー豆を蓄えておき、販売指令が与えられた段階で、つまり飲料を抽出する直前にコーヒー豆を挽いた挽き豆から飲料を抽出するものもある。このようにして使用されるコーヒー豆はその種類により、また生産地により、酸味や苦味、甘み等、また焙煎方法でも持ち味が変化し、その異なった持ち味のコーヒー豆から抽出するコーヒー飲料の適した旨味等も、濃厚なコーヒー味、またすっきりとしたコーヒー味と異なってくる。
【０００５】
しかしながら、挽き豆と湯の混合体にエアを供給して攪拌を行い、その混合体の上部空間に供給したエアの圧力により強制的にフィルタを通過させ、ろ過してコーヒー飲料を抽出すると、抽出されたコーヒー飲料は使用したコーヒー豆の違いによる味の違い等が無く均一なものとなり、コーヒー豆が有している本来の旨味を十分に引き出して抽出することは困難であった。
本発明は、上記実情に鑑みて、コーヒー豆が有している本来の旨味を十分に引き出したコーヒー飲料を抽出するのに適した飲料抽出装置を提供することを目的とする。
【課題を解決するための手段】
【０００６】
上記目的を達成するため、本発明の請求項１に係る飲料抽出装置は、上下両端面を開口した円筒形状の抽出容器の下端開口をフィルタを介してフィルタブロックに嵌合して閉塞し、前記抽出容器の上端開口から投入された粉末原料と湯の混合体に空気を供給し攪拌して抽出した飲料に前記フィルタを介してフィルタブロックから負圧を作用させ、前記フィルタを通過させてろ過した飲料をフィルタブロックから通流させる抽出管路を有した飲料抽出装置において、前記抽出管路に、通流する飲料の流量を調整する流量調整手段を設けたことを特徴とする。
また、本発明の請求項２に係る飲料抽出装置は、上述した請求項１において、前記流量調整手段は、前記フィルタブロックから飲料に作用させる負圧を調整することを特徴とする。
【０００７】
また、本発明の請求項３に係る飲料抽出装置は、上下両端面を開口した円筒形状の抽出容器の下端開口をフィルタを介してフィルタブロックに嵌合して閉塞し、前記抽出容器の上端開口から投入された粉末原料と湯の混合体に空気を供給し攪拌して抽出した飲料に前記フィルタを介してフィルタブロックから負圧を作用させ、前記フィルタを通過させてろ過した飲料をフィルタブロックから通流させる抽出管路を有した飲料抽出装置において、前記抽出管路に接続したフィルタブロックと前記負圧を発生させる負圧発生手段との間に吸気管路を連通し、該吸気管路に負圧調整手段を設けたことを特徴とする。
また、本発明の請求項４に係る飲料抽出装置は、上述した請求項３において、前記負圧調整手段は、オリフィスであることを特徴とする。
【発明の効果】
【０００８】
請求項１の発明によれば、抽出管路に通流する飲料の流量を調整する流量調整手段を設けているため、流量調整手段を通流する流量が少なくなるように調整してあると、粉末原料と湯の混合体からコーヒー飲料を抽出する時間を長く要するようになり、濃厚な味のコーヒー飲料を抽出することができる。また、流量調整手段を通流する流量が多くなるように調整してあると、粉末原料と湯の混合体からコーヒー飲料を抽出する時間が短くなり、すっきりとした味のコーヒー飲料を抽出することができ、コーヒー豆が有している本来の旨味を十分に引き出したコーヒー飲料を抽出するのに適した飲料抽出装置を実現することができる。
請求項２の発明によれば、流量調整手段は、フィルタブロックから飲料に作用させる負圧を調整するので、フィルタを通過してろ過されるコーヒー飲料の量を調整することができるようになる。
【０００９】
請求項３の発明によれば、抽出管路に接続したフィルタブロックと負圧を発生させる負圧発生手段との間に吸気管路を連通し、該吸気管路に負圧調整手段を設けたので、負圧調整手段を通過する吸気量を調整して、抽出管路を通流するコーヒー飲料に混入するエア量を変化させると、負圧が変化してフィルタを通過してろ過される量が変わり、挽き豆と湯の混合体からコーヒー飲料を抽出する時間を調整できるようになるので、コーヒー豆が有している本来の旨味を十分に引き出したコーヒー飲料を抽出するのに適した飲料抽出装置を実現することができる。
請求項４の発明によれば、負圧調整手段をオリフィスとしたので、簡単な構造でフィルタを通過してろ過されるコーヒー飲料の量を調整することができるようになる。
【発明を実施するための最良の形態】
【００１０】
以下に添付図面を参照して、本発明に係る飲料抽出装置の好適な実施の形態について詳細に説明する。なお、この実施例によりこの発明が限定されるものではない。
（実施の形態１）
図１に基づいて、本発明の実施の形態１である飲料抽出装置を筐体内に設けたカップ式飲料自動販売機１の回路構成を説明する。
希釈液供給回路５は、冷水、炭酸水、湯などの希釈液をベンドステージ２に載置したカップ３に注出するためのものであり、水リザーバ１０、水ポンプ１１、給水弁１２を有している。給水弁１２を開放すると水道水は水リザーバ１０に貯えられ、水ポンプ１１を駆動することによって圧送される。水ポンプ１１で圧送された水は冷水回路１３または温水回路１４に供給される。冷水回路１３に供給された水は、冷却水槽１５に貯留している冷却水に浸漬した水冷却コイル１６を通流することにより冷却される。
【００１１】
水冷却コイル１６には給水弁１７と冷水管路１８とが接続してある。また、給水弁１７には、カップ３に炭酸水を供給するカーボネータ１９が接続してあり、水ポンプ１１を駆動して給水弁１７を開放するとカーボネータ１９に冷水が供給される。
冷水管路１８には、冷水弁２０を介して冷水注出ノズル２１が接続してあり、コールド飲料注出時（販売時）には水ポンプ１１を駆動して冷水弁２０を開放すると、冷水注出ノズル２１からカップ３に冷水を注出する。
カーボネータ１９は、冷却水槽１５に浸漬してある。カーボネータ１９には、炭酸ガスボンベ２２から炭酸ガスが供給され、この炭酸ガスが冷水に溶解して、冷水は炭酸水となる。カーボネータ１９には、炭酸水弁２３を介して炭酸水注出ノズル２４が接続してあり、炭酸水弁２３を開放すると、炭酸ガスボンベ２２から供給される炭酸ガスの圧力でカーボネータ１９から押し出された炭酸水がベンドステージ２に載置したカップ３に注出される。
【００１２】
また、冷却水槽１５には、複数のシロップ冷却コイル３２が浸漬してあり、シロップ飲料の原液となる各種のシロップがそれぞれ貯蔵してある複数のシロップコンテナ３０がシロップ売切装置３６を介して接続してある。各シロップコンテナ３０には、それぞれ、炭酸ガスボンベ２２から炭酸ガスが供給され、シロップ冷却コイル３２にはシロップ弁３３を介してシロップ注出ノズル３４が接続されている。そして、シロップ弁３３を開放すると、シロップコンテナ３０に貯蔵してあるシロップが炭酸ガスボンベ２２から供給される炭酸ガスの圧力で押し出され、シロップ売切装置３６からシロップ冷却コイル３２を通流したシロップは冷却されて、シロップ注出ノズル３４からベンドステージ２に載置したカップ３に注出される。
製氷機６は、製氷部と貯氷庫とを有していて、水リザーバ１０から供給された水を製氷して貯氷庫で貯蔵し、アイス飲料を販売するときに貯氷庫に貯蔵している氷をアイスダクト（図示せず）を介してベンドステージ２に載置したカップ３に供給する。
【００１３】
給水弁２５を介して温水回路１４に供給された水は、温水タンク６０に貯えられ、温水タンク６０内でヒータ５９（図２参照）で加熱されて湯になる。温水タンク６０には、複数の湯弁６１が配設してある。各湯弁６１は、湯管路６２によってミキシングボール６３、ミキシングボール６８または飲料抽出装置４０に接続してあり、湯弁６１を開放することにより、湯管路６２を通って、ミキシングボール６３、ミキシングボール６８または飲料抽出装置４０に湯が供給される。
ミキシングボール６３は、粉末原料を供給する原料キャニスタ６４を有している。ミキシングボール６３では、原料キャニスタ６４から供給された粉末原料と、温水タンク６０から供給された湯とを攪拌してホット飲料とした後に、ホット飲料注出ノズル６５からベンドステージ２に載置したカップ３に注出する。
【００１４】
飲料抽出装置４０は、コーヒー豆キャニスタ６６から供給されたコーヒー豆をミル６７で挽いた挽き豆（粉末原料）に温水タンク６０から供給された湯を注ぐことによりコーヒー飲料を抽出し、抽出滓は滓バケツ７１に廃棄される。
飲料抽出装置４０には、ミキシングボール６８が接続してある。ミキシングボール６８は、砂糖、クリームなどの粉末原料を供給する原料キャニスタ６９を有し、原料キャニスタ６９から供給された粉末原料とコーヒー飲料を攪拌した後に、コーヒー飲料注出ノズル７０からベンドステージ２に載置したカップ３に注出する。または、原料キャニスタ６９から供給された粉末原料とコーヒー飲料と温水タンク６０から供給された湯をミキシングボール６８で攪拌した後に、コーヒー飲料注出ノズル７０からベンドステージ２に載置したカップ３にアメリカンコーヒーを注出する。
【００１５】
以上説明したカップ式飲料自動販売機１において、ベンドステージ２に載置したカップ３にコーヒー飲料を注出するには、コーヒー豆キャニスタ６６から供給されたコーヒー豆をミル６７で挽いた挽き豆を飲料抽出装置４０に供給する一方、湯弁６１を開放して温水タンク６０に貯えている湯を湯管路６２を介して供給する。そして、挽き豆と湯の混合体からコーヒー飲料を抽出し、ミキシングボール６８にコーヒー飲料を供給する。ミキシングボール６８では、原料キャニスタ６９から砂糖、クリームなどの粉末原料を、さらに飲料の種類によっては温水タンク６０に貯えている湯を加えて攪拌混合した後に、コーヒー飲料注出ノズル７０からカップ３にコーヒー飲料を注出する。
また、アイスコーヒー飲料を販売するには、製氷機６からカップ３に氷を投入する。同時に、飲料抽出装置４０に供給した挽き豆に湯を供給して抽出したコーヒー飲料をミキシングボール６８に供給し、砂糖、クリームなどの粉末原料を加えて攪拌混合した後に氷が投入されているカップ３にコーヒー飲料を供給する。このようにしてカップ３に供給された氷とコーヒー飲料とはカップ３内で混合され、アイスコーヒー飲料となる。
【００１６】
図２は、本発明の実施の形態１である飲料抽出装置を示した概念図である。飲料抽出装置４０は、シリンダ（抽出容器）４１およびフィルタブロック４２を配設してある。
シリンダ４１は上下両端面を開口した円筒形状を成し、その上端開口４１ａと下端開口４１ｃとの間のくびれ部４１ｂを鼓状に形成してあり、くびれ部４１ｂからその両端に向かい内径を拡げて開放した形状としている。
シリンダ４１の上方には、コーヒー豆キャニスタ６６から供給されたコーヒー豆をミル６７で挽いた挽き豆をシリンダ４１に投入する原料投入口４５と、湯タンク６０に貯留しタンクヒータ５９で加熱（例えば、９４℃）され湯弁６１を開放すると湯管路６２を介して湯供給部５８から供給される湯をシリンダ４１内に流下させる湯流下部４４を上端開口４１ａに装着している。
【００１７】
フィルタブロック４２は、上端に受入口４２ａを有した有底の円筒形状を成すもので、昇降手段４６によって上下動可能に支持され、下動している場合にはシリンダ４１から離隔した位置に配置される一方、上動した場合にフイルタ４３を介してシリンダ４１に嵌合して下端開口４１ｃを閉塞する。また、エア供給、抽出管路５１が連通され、ミキシングボール６８（図１参照）に接続してある。エア供給、抽出管路５１はその途中にチューブポンプ（負圧発生手段）５２および流量調整器（流量調整手段）５３が配設され、チューブポンプ５２が一方向（例えば、反時計回り方向）に回転するとフィルタブロック４２にエア（空気）を供給して挽き豆と湯の混合体を攪拌し、他方向（例えば、時計回り方向）に回転すると負圧を発生させ、フィルタ４３を通過させてろ過した飲料をフィルタブロック４２を介してエア供給、抽出管路５１からミキシングボール６８に供給する。
【００１８】
チューブポンプ５２は、例えば、特開平１０−１４１２３７号公報に示されているように、内周面に円弧面を形成したチューブガイドと、周上に複数のローラを等間隔に配したロータとの組み合わせからなるポンプで、チューブをチューブガイドの内周面に形成した円弧面に沿わせてローラとの間に挟まれるように配置してロータを回転させると、ローラがチューブをしごくことでチューブの内容物をローラの移動する方向へ移動させる働きをするポンプである。
流量調整器５３は、例えば、特開２００３−１１２７９８号公報に示されているように、通流する飲料の圧力が変動しても圧力を一定範囲内に制限して流量を一定に調整する働きをする流量調整器であり、ピストンスリーブ内部を摺動するピストンを飲料流入側に押圧するスプリングの圧縮力を調整してピストンの押圧力を調整するねじ部を回転させることにより飲料の流量を調整することができる。さらに、ステッピングモータ等の回転角度を制御可能なモータを設け、信号を加えてねじ部を回転させると飲料の流量をコントローラ等で調整することができる。
【００１９】
フィルタ４３は、ロール状に巻回された紙製で帯状を成すフィルタ紙で、シリンダ４１とフィルタブロック４２との間へ順次繰り出され、挽き豆と湯の混合体を負圧の下でろ過してコーヒー飲料を抽出する。
図３は、カップ式飲料自動販売機１の制御系を示したブロック図である。同図に示すようにカップ式飲料自動販売機１は、自販機制御部９０および抽出制御部９１を備えている。自販機制御部９０は、商品選択ボタンＤおよび硬貨処理部Ｎの動作を制御するものである。具体的には、カップ式飲料自動販売機１のコイン投入口から硬貨が投入された場合、自販機制御部９０は、硬貨処理部Ｎを通じてその正偽を判定し、正貨であった場合にさらに投入金額の認識を行う。商品販売に必要とする金額の硬貨が投入された場合、自販機制御部９０は、商品選択ボタンＤを有効化し、さらに有効化した商品選択ボタンＤが押下された場合、商品選択信号を抽出制御部９１に与える。抽出制御部９１は、自販機制御部９０から商品選択信号が与えられた場合、予めメモリ９２に格納しているプログラムやデータに従って、カップ式飲料自動販売機１各部の飲料抽出制御を行う。また、コントローラ９３は流量調整器５３を通流する飲料の流量を調整する時に変更データを入力して流量を変更する。
【００２０】
図４は、上述した飲料抽出装置４０の動作を説明するための模式図である。以下、図１〜図４を適宜参照しながら、飲料抽出装置４０の動作を説明する。
まず、商品選択ボタンＤが押下されていない場合、飲料抽出装置４０は図２に示すように販売待機状態で、シリンダ４１はフィルタブロック４２およびフィルタ４３から離隔した状態にある。また、この販売待機状態においては、湯弁６１が閉鎖した状態に保持されている。湯タンク６０では内部に貯留した湯をタンクヒータ５９が所望の温度、例えば９４℃に維持している。
上述した販売待機状態から利用者等によって硬貨が投入され、かつ任意の商品選択ボタンＤが押下されると、抽出制御部９１から信号が出力されて昇降手段４６を駆動することにより、図４（ａ）に示すように、フィルタ４３を介してフィルタブロック４２をシリンダ４１の下端開口４１ｃに嵌合させて装着し、コーヒー豆キャニスタ６６から供給されたコーヒー豆をミル６７で挽いた挽き豆を原料投入口４５からシリンダ４１内部に投入する。
【００２１】
予め設定した量の挽き豆をシリンダ４１に投入すると、図４（ｂ）に示すように、抽出制御部９１は、湯弁６１を開放して湯供給部５８から湯を吐出して供給する。供給された湯は湯流下部４４から流下し、フィルタ４３上に投入された挽き豆を満遍なく均一に蒸らす。そして、供給した湯が予め設定した量に達すると、抽出制御部９１は、図４（ｃ）に示すように、湯弁６１を閉じ、チューブポンプ５２を駆動（実施例では、図中反時計回り方向に回転駆動）して、エア供給、抽出管路５１を通じてフィルタブロック４２からシリンダ４１内部にエアを供給することにより、シリンダ４１に貯留される挽き豆と湯の混合体の攪拌を行う。この結果、挽き豆から湯に香味や旨味が抽出され、シリンダ４１内部においてコーヒー飲料が生成される。
しかる後、抽出制御部９１は、図４（ｄ）に示すように、チューブポンプ５２を駆動（実施例では、図中時計回り方向に回転駆動）するとフィルタブロック４２の受入口４２ａ（図２参照）内部が負圧となり、シリンダ４１内部で生成されたコーヒー飲料はフィルタ４３を通過してろ過され、フィルタブロック４２からエア供給、抽出管路５１を通じてミキシングボウル６８に供給される。
【００２２】
コーヒー飲料の抽出が終了すると、抽出制御部９１は、昇降手段４６を駆動してフィルタブロック４２を下動させ、一定量のフィルタ４３を繰り出し、使用後のフィルタ４３およびこれに付着する抽出滓を滓バケツ７１に廃棄する。また、廃液弁５６を開き、廃液を滓バケツ７１に排出する。以降、抽出制御部９１は、自販機制御部９０から商品選択信号が与えられるたびに上述した飲料抽出動作を繰り返し実行する
このコーヒー飲料抽出時、流量調整器５３を通流する流量が少なくなるように調整してあると、フィルタブロック４２の受入口４２ａ内部の負圧が弱くなり、フィルタ４３を通過してろ過されるコーヒー飲料の量も減少する。そして、フィルタブロック４２からエア供給、抽出管路５１を通じてミキシングボウル６８に供給されるコーヒー飲料の流量も減少し、挽き豆と湯の混合体からコーヒー飲料を抽出する時間を長く要するので、湯がゆっくりと時間を掛けて挽き豆を通過することから、濃厚な味のコーヒー飲料を抽出することができる。また、流量調整器５３を通流するコーヒー飲料の流量が多くなるように調整してあると、フィルタブロック４２の受入口４２ａ内部の負圧が強くなり、フィルタ４３を通過してろ過されるコーヒー飲料の量が多くなる。そして、フィルタブロック４２からエア供給、抽出管路５１を通じてミキシングボウル６８に供給されるコーヒー飲料の流量が多くなると、挽き豆と湯の混合体からコーヒー飲料を抽出する時間が短くなり、湯が挽き豆を早く通過し、この結果、すっきりとした味のコーヒー飲料が抽出される。
【００２３】
このように、粉末原料と湯の混合体に空気を供給し攪拌して抽出した飲料にフィルタ４３を介してフィルタブロック４２から負圧を作用させ、フィルタ４３を通過させてろ過した飲料をフィルタブロック４２から通流させるエア供給、抽出管路５１を有した飲料抽出装置４０のエア供給、抽出管路５１に通流する飲料の流量を調整する流量調整器５３を設けたので、使用するコーヒー豆の種類により、コーヒー豆個々が本来有している旨味を十分に引き出したコーヒー飲料を抽出するのに適した飲料抽出装置を実現することができる。
尚、上述した実施の形態１では、ピストンスリーブ内部を摺動するピストンを設けた流量調整器５３を例示しているが、ニードル弁等の流量調整器を用いるようにしても良い。
（実施の形態２）
つぎに、本発明の実施の形態２について説明する。上述した実施の形態１では、粉末原料と湯の混合体に空気を供給し攪拌して抽出した飲料にフィルタ４３を介してフィルタブロック４２から負圧を作用させ、フィルタ４３を通過させてろ過した飲料をフィルタブロック４２から通流させるエア供給、抽出管路５１に、通流する飲料の流量を調整する流量調整器５３を設けた飲料抽出装置４０の実施の形態で説明したが、この実施の形態２では、エア供給、抽出管路５１に接続したフィルタブロック４２と負圧を発生させるチューブポンプ５２（負圧発生手段）との間に吸気管路５４を連通し、吸気管路５４に負圧調整器（負圧調整手段）５５を設けた飲料抽出装置８０の実施の形態を説明する。
【００２４】
図５は、本発明の実施の形態２である飲料抽出装置を示した概念図である。なお、飲料抽出装置４０と同一構成部分には同一符号を付して、その符号の説明を省略している。
図５に示すように、飲料抽出装置８０は、エア供給、抽出管路５１に接続したフィルタブロック４２と負圧を発生させるチューブポンプ５２との間に吸気管路５４を連通し、吸気管路５４には負圧調整器５５を交換可能に配設し、チューブポンプ５２を駆動して抽出したコーヒー飲料をフィルタブロック４２からエア供給、抽出管路５１を通じてミキシングボウル６８に供給するとき、吸気管路５４からエア供給、抽出管路５１に微量のエア（空気）を吸い込むようにしている。負圧調整器５５はオリフィスで構成した空気の通路を有し、オリフィスの穴径は各種取り備えられている。
チューブポンプ５２をフィルタブロック４２の受入口４２ａ内部が負圧となるように駆動すると、シリンダ４１内部で生成されたコーヒー飲料がフィルタ４３を通過してろ過され、フィルタブロック４２からエア供給、抽出管路５１を通じてミキシングボウル６８に供給されるが、吸気管路５４に配設した負圧調整器５５を通過する吸気量が多くなるように調整してあると、エア供給、抽出管路５１を通流するコーヒー飲料に混入するエア量が多くなるので、フィルタブロック４２の受入口４２ａ内部の負圧が弱くなり、フィルタ４３を通過してろ過されるコーヒー飲料の量も減少する。そして、フィルタブロック４２からエア供給、抽出管路５１を通じてミキシングボウル６８に供給されるコーヒー飲料の流量も減少し、挽き豆と湯の混合体からコーヒー飲料を抽出する時間を長く要するので、濃厚な味のコーヒー飲料を抽出することができる。また、負圧調整器５５を通過する吸気量が少なくなるように調整してあると、エア供給、抽出管路５１を通流するコーヒー飲料に混入するエア量が少なくなるので、フィルタブロック４２の受入口４２ａ内部の負圧が強くなり、フィルタ４３を通過してろ過されるコーヒー飲料の量が多くなる。そして、フィルタブロック４２からエア供給、抽出管路５１を通じてミキシングボウル６８に供給されるコーヒー飲料の流量が多くなると、挽き豆と湯の混合体からコーヒー飲料を抽出する時間が短くなり、すっきりとした味のコーヒー飲料を抽出することができる。
【００２５】
このように吸気管路５４に負圧調整器５５を交換可能に配設し、使用するコーヒー豆に最適な穴径のオリフィスで構成する負圧調整器５５を設けると、コーヒー豆が有している本来の旨味を十分に引き出したコーヒー飲料を抽出するのに適した飲料抽出装置を実現することができる。
なお、上述した実施の形態では、コーヒー原料としての挽き豆と湯の混合体からコーヒー飲料を抽出する装置を例示しているが、本発明はその他の粉末原料から飲料を抽出するものに適用することができる。
【図面の簡単な説明】
【００２６】
【図１】本発明の実施の形態１である飲料抽出装置を適用したカップ式飲料自動販売機の回路構成を説明する概念図である。
【図２】図１に示した飲料抽出装置の概念図である。
【図３】図１に示したカップ式飲料自動販売機の制御系を示したブロック図である。
【図４】図１に示した飲料抽出装置の飲料抽出動作を示す概念図である。
【図５】本発明の実施の形態２である飲料抽出装置の概念図である。
【符号の説明】
【００２７】
１      カップ式飲料自動販売機
４０      飲料抽出装置
４１      シリンダ
４２      フィルタブロック
４３      フィルタ
４６      昇降手段
５１      エア供給、抽出管路
５２      チューブポンプ
５３      流量調整器
５４      吸気管路
５５      負圧調整器
６０      温水タンク
６１      湯弁
６２      湯管路
６６      コーヒー豆キャニスタ
６７      ミル
８０      飲料抽出装置
９０      自販機制御部
９１      抽出制御部
９２      メモリ
９３      コントローラ
Ｄ      商品選択ボタン
Ｎ      硬貨処理部
【図１】
2006178572.tif 000003
【図２】
2006178572.tif 000004
【図３】
2006178572.tif 000005
【図４】
2006178572.tif 000006
【図５】
2006178572.tif 000007